(57)【要約】  【課題】ハンドル部品の良好な外観を保ち、且つコストを抑制した冷蔵庫扉を提供する。  【解決手段】扉本体を形成し一側辺に手掛け用凹部を形成した扉面材２と、この扉面材２の庫内側に配置した扉内板５との間に発泡充填された断熱材と、扉面材２端面の上下の切欠部にそれぞれ設けられ断熱材側を閉塞する扉キャップ３と、扉面材２の凹部側の端面に手掛け部を有し一体で形成されて配置された扉側面キャップ６と、扉面材２と扉側面キャップ６との間に配置された指詰め保護部材７を設けたものである。これによって、ハンドル部品の外観面が分割され、外観意匠性に影響を及ぼすこともなく、また、指詰め保護部を別部品にしたことにより、安全性の確保を行うと共に、ハンドル部品のコストを抑制することが可能となる。【選択図】図２
2007278585.tif 000002
【特許請求の範囲】
【請求項１】
扉本体を形成し一側辺に手掛け用凹部を形成した扉面材と、この扉面材の庫内側に配置した扉内板との間に発泡充填された断熱材と、扉面材の上下端面にそれぞれ設けられ断熱材側を閉塞する扉キャップと、前記扉面材の凹部側の端面に手掛け部を有し配置された扉側面キャップと、前記扉面材と扉側面キャップとの間に配置された指詰め保護部材を設けたことを特徴とする冷蔵庫扉。
【請求項２】
扉面材の凹部側の端面に配置された指詰め保護部材に設けられた凹部に、扉面材を嵌合配置したことを特徴とする請求項１に記載の冷蔵庫扉。
【請求項３】
指詰め保護部材は、扉側面キャップとの接触面側の指詰め保護部材の一部が、扉側面キャップに設けられた凹み部に嵌合配置されたことを特徴とする請求項１または２に記載の冷蔵庫扉。
【請求項４】
指詰め保護部材は、ツメやリブ形状等によって、扉側面キャップと係合固着されたことを特徴とする請求項１から３のいずれか一項に記載の冷蔵庫扉。
【請求項５】
指詰め保護部材は、扉側面キャップと同系色の樹脂によって成形されたことを特徴とする請求項１から４のいずれか一項に記載の冷蔵庫扉。
【請求項６】
指詰め保護部材は、扉面材を挿入するための指詰め保護部材の凹部において、凹部の開口部を広げるような形状を設けたことを特徴とする請求項１から５のいずれか一項に記載の冷蔵庫扉。
【請求項７】
指詰め保護部材は、扉面材を挿入するための指詰め保護部材の凹部において、凹部内側の断熱材側の面にリブや凸部を設けたことを特徴とする請求項１から６のいずれか一項に記載の冷蔵庫扉。
【請求項８】
指詰め保護部材は、扉面材を挿入するための指詰め保護部材の凹部において、凹部の内側の一部に凸形状を設けたことを特徴とする請求項１から７のいずれか一項に記載の冷蔵庫扉。
【請求項９】
扉側面キャップと、指詰め保護部材は、上下対称な形状によって構成されたことを特徴とする請求項１から８のいずれか一項に記載の冷蔵庫扉。
【請求項１０】
指詰め保護部材は、上下それぞれに存在する指詰め保護部を、一体で構成されたことを特徴とする請求項１から９のいずれか一項に記載の冷蔵庫扉。
【発明の詳細な説明】
【技術分野】
【０００１】
本発明は、冷蔵庫扉に係り、扉を形成する扉面材に手掛け部を有する扉構成に関するものである。
【背景技術】
【０００２】
近年、表面意匠を重視した冷蔵庫を市場から求められるとともに、冷蔵庫本体の前面開口を閉塞する扉の前面に外観意匠に重点をおいた冷蔵庫が販売されている。使い勝手面での構造上、扉開閉頻度の高い冷蔵室扉は回転による開扉方式であり、冷蔵庫扉の上段の部屋に冷蔵室を設けることが近年主流となっている。
【０００３】
また、冷蔵室扉は、手掛け部を有した比較的大スペースのハンドル部品が設けられ、外観意匠の向上を図っている。さらに、使い勝手面や外観意匠とも関連して、冷蔵室扉の左右どちらか片側に、高さ方向に長く伸びた縦長の形状の手掛け部を有したハンドル部品を設けた冷蔵庫が多く商品化されている（例えば、特許文献１参照）。
【０００４】
さらに、冷蔵庫扉の外観意匠の観点より、手掛け部を有したハンドル部品を、高さ方向に長く伸びた縦長の形状にし、冷蔵庫扉の側面まで回しこみ、冷蔵庫扉の片側側面の大部分をハンドル部品によって構成された形状をした冷蔵庫扉も多くみられる。
【０００５】
以下、図面を参照しながら、上記従来の冷蔵庫について説明する。図７は従来の冷蔵庫扉を示すものである。図７において、冷蔵庫扉１０１は扉前面を形成する扉面材１０２の上端の扉キャップ１０３と下端の扉キャップ１０４、前記扉面材の凹部側の端面に手掛け部を有したハンドル部品１０５で閉塞して、扉内板１０６との間に断熱材を充填し、その後、ハンドル部前部品１０７を係合固定される。
【特許文献１】特開２００４−１１６７８８号公報
【発明の開示】
【発明が解決しようとする課題】
【０００６】
しかしながら、上記従来の構成では、ハンドル部品を一部品で構成することが金型構成上難しく、ハンドル部品の構成が２部品以上に分割された構成となるため、コストの抑制が困難となり、また、分割された部品間の繋ぎ合わされている面が外観面から見えるため、外観意匠性を損なうという課題を有していた。
【０００７】
さらに、ハンドル部品と扉面材との繋ぎ目部には一部が狭くなる箇所があり、扉を開閉する際にその隙間に指を詰める恐れがあり、その部に指を詰めないようにハンドル部品に指詰め保護形状を設けるのだが、従来の構成でハンドル部品を一部品で構成しようとすると、金型の構成が難しいため、指詰め保護形状が成形できず、冷蔵庫扉としての安全性を確保できないという課題も有していた。
【０００８】
本発明は、上記従来の課題を解決するものであり、ハンドル部品の良好な外観を保ち、安全性も確保し、且つ、コストを抑制した冷蔵庫扉を提供することを目的とする。
【課題を解決するための手段】
【０００９】
上記従来の課題を解決するために、本発明の冷蔵庫扉は、扉本体を形成し一側辺に手掛け用凹部を形成した扉面材と、この扉面材の庫内側に配置した扉内板との間に発泡充填された断熱材と、扉面材の上下端面にそれぞれ設けられ断熱材側を閉塞する扉キャップと、前記扉面材の凹部側の端面に手掛け部を有し一体で形成されて配置された扉側面キャップと、前記扉面材と扉側面キャップとの間に配置された指詰め保護部材を設けたものである。
【００１０】
これによって、ハンドル部品の外観面が分割されることがないため、外観意匠性に影響を及ぼすこともなく、また、指詰め保護部を別部品にしたことにより、ハンドル部品の金型の成形が容易になる。
【発明の効果】
【００１１】
本発明の冷蔵庫扉は、ハンドル部品の指詰め保護部を別部品にしたことにより、冷蔵庫扉としての外観意匠性を損なうことなく、安全性を確保し、ハンドル部品のコストの抑制も図ることができる。
【発明を実施するための最良の形態】
【００１２】
請求項１に記載の発明は、扉本体を形成し一側辺に手掛け用凹部を形成した扉面材と、この扉面材の庫内側に配置した扉内板との間に発泡充填された断熱材と、扉面材の上下端面にそれぞれ設けられ断熱材側を閉塞する扉キャップと、前記扉面材の凹部側の端面に手掛け部を有し配置された扉側面キャップと、前記扉面材と扉側面キャップとの間に配置された指詰め保護部材を設け、ハンドル部品を扉側面キャップと指詰め保護部材とで構成したことにより、ハンドル部品を１部品で形成することが金型構造上難しかった指詰め保護部分の構成が指詰め保護部材によって可能となり、冷蔵庫扉としての安全性を確保することが出来、また部品間の繋ぎ目部分が、外観面上に現れることがないため、冷蔵庫扉としての意匠性を損なうことがなくなり、また、ハンドル部品の構造が簡素化されることにより金型費が抑制され、コストを抑制した冷蔵庫扉を提供することができる。
【００１３】
請求項２に記載の発明は、請求項１に記載の発明において、扉面材の凹部側の端面に配置された指詰め保護部材に設けられた凹部に、扉面材を嵌合配置したことにより、指詰め保護部材を扉側面キャップと扉面材によって挟み込む構成となり、指詰め保護部材が扉面材によって位置を規制されることになり、さらに、指詰め保護部材は扉面材と扉側面キャップとに挟み込まれ固定された状態となるため、指詰め保護部材を確実に固定することができる。また、指詰め保護部材に設けられた凹部に扉面材を嵌合配置したことにより、指詰め保護部材と扉面材との勘合部にできる隙間を、小さくすることにもなり、冷蔵庫扉内に発泡充填された断熱材が発泡時に漏れることを防ぎ、冷蔵庫扉としての品質向上を図ることができる。
【００１４】
請求項３に記載の発明は、請求項１または２に記載の発明において、指詰め保護部材は、扉側面キャップとの接触面側の指詰め保護部材の一部が、扉側面キャップに設けられた凹部に嵌合配置されたことにより、扉側面キャップと指詰め保護部材との接触部において、指詰め保護部材に扉側面キャップが覆いかさばる構成となり、冷蔵庫扉の使用時にそれら２部品の繋ぎ目が外観面から見え難くすることができ、扉側面キャップの外観意匠性の確保を図ることができる。
【００１５】
請求項４に記載の発明は、請求項１から３のいずれか一項に記載の発明において、指詰め保護部材は、ツメやリブ形状等によって、扉側面キャップと係合固着されたことにより、扉面材を嵌合配置行う前段階において、扉側面キャップと指詰め保護部材を固定することができるため、扉面材の扉側面キャップと指詰め保護部材への挿入取付けがし易くなり、作業性の確保を図ることができる。
【００１６】
請求項５に記載の発明は、請求項１から４のいずれか一項に記載の発明において、指詰め保護部材は、扉側面キャップと同系色の樹脂によって成形されたことにより、扉側面キャップと指詰め保護部材との嵌合部が目立ち難くなり、意匠性の確保を図ることができる。また、扉側面キャップと指詰め保護部材の意匠性の統一を図ることができ、冷蔵庫扉としての外観意匠性の向上を図ることができる。
【００１７】
請求項６に記載の発明は、請求項１から５のいずれか一項に記載の発明において、指詰め保護部材は、扉面材を挿入するための指詰め保護部材の凹部において、凹部の開口部を広げるような形状を設けたことにより、作業者が扉面材を扉側面キャップと指詰め保護部材に挿入取付けする際、扉面材の取り付けが容易になるため、作業速度の向上につながり、部品組み立てにかかるコストの抑制を図った冷蔵庫を提供することができる。
【００１８】
請求項７に記載の発明は、請求項１から６のいずれか一項に記載の発明において、指詰め保護部材は、扉面材を挿入するための指詰め保護部材の凹部において、凹部内側の断熱材側の面にリブや凸部を設けたことにより、指詰め保護部材の凹部に挿入された扉面材を、指詰め保護部材凹部内側の断熱材側の面に設けられたリブや凸部によって、扉面材と指詰め保護部材間の隙間をさらに狭くすることができ、冷蔵庫扉内に発泡充填された断熱材が発泡時に漏れることを防ぎ、冷蔵庫扉としての品質向上を図ることができ、さらに、指詰め保護部材凹部内側の断熱材側とは反対側の外観面側に沿った扉面材の形状を保持することが可能となり、冷蔵庫扉の外観意匠性の確保を図ることができる。
【００１９】
請求項８に記載の発明は、請求項１から７のいずれか一項に記載の発明において、指詰め保護部材は、扉面材を挿入するための指詰め保護部材の凹部において、凹部の内側の一部に凸形状を設けたことによって、扉面材に前記凸形状に合わせた凹み形状設け、それにより扉面材の上下方向の位置規制をおこなうことが可能となり、冷蔵庫扉組み立て時の扉面材の取り付けが容易にでき、作業性の確保を図ることができる。
【００２０】
請求項９記載の発明は、請求項１から８のいずれか一項に記載の発明において、扉側面キャップと、指詰め保護部材は、上下対称な形状によって構成されたことにより、冷蔵庫扉の全高が異なる機種においてもそれぞれの部品を兼用化が可能となり、また、扉側面キャップと指詰め保護部材を上下反転させることにより、右開き扉タイプの機種、及び左開き扉タイプの機種どちらにでも取り付けることが可能となり、コストの低減を図った冷蔵庫を提供することができる。
【００２１】
請求項１０記載の発明は、請求項１から９のいずれか一項に記載の発明において、指詰め保護部材は、上下それぞれに存在する指詰め保護部を、一体で構成されたことによって、冷蔵庫扉としての部品点数が減るため、組立て工数が減り、部品組み立てにかかるコストの抑制を図った冷蔵庫を提供することができる。
【００２２】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００２３】
（実施の形態１）
図１は本発明の実施の形態１における冷蔵庫扉の斜視図、図２は同実施の形態の冷蔵庫扉の図１の分解斜視図、図３は同実施の形態の図２におけるハンドル部品の分解斜視図、図４は同実施の形態の冷蔵庫扉の図１のＡ−Ａ線断面図、図５は同実施の形態の冷蔵庫扉の図４における斜視図、図６は同実施の形態の冷蔵庫扉の指詰め保護部材と扉面材の組み付けた状態の要部正面図である。
【００２４】
図１から図６において、冷蔵庫本体には温度帯の異なる貯蔵室があり、冷蔵室、野菜室、冷凍室など所定の貯蔵温度に沿った貯蔵室を配置し、それぞれの前面開口には扉を配設する。扉開閉頻度の高い冷蔵室扉１は、使い勝手面での構造上、回転による開扉方式であり、上段に位置している。
【００２５】
冷蔵室扉１は、図２に示すように、外表面を薄鋼板からなり折曲した扉面材２で形成しており、この扉面材２の上端に上端開口を閉塞する上扉キャップ３、下端に下端開口を閉塞する下扉キャップ４を設けるとともに、冷蔵室扉１の冷蔵室内側には、内方に貯蔵品を収納するポケット部を形成する扉内板５を配置し、一側辺に手掛け用凹部を形成した扉面材２の凹部側の端面に手掛け部を有し一体で形成されて配置された扉側面キャップ６と、扉面材２と扉側面キャップ６との間に上下２ヵ所それぞれに配置された指詰め保護部材７と、扉側面キャップ６と扉面材２との間に差し込まれ固着されている扉面材固定部材８を配置し、またこれら各部材間に形成される空間部にウレタンフォームからなる断熱材を発泡充填することで構成されている。
【００２６】
上扉キャップ３、下扉キャップ４は、合成樹脂からなり、扉面材２の切欠部に合致させた上部前面位置に対して、その上端から後方へ扉のほぼ全幅に亙る凹陥部を設けるとともに、前記扉内板の上下端をそれぞれ係合させることで断熱扉体の外郭を形成している。
【００２７】
指詰め保護部材７は、図３で示すように、扉側面キャップ６に指詰め保護部材ツメ部７ａを扉側面キャップ６に設けられた穴部若しくは凹部に差し込み固定される。この際、図４で示すように、扉面材を挿入するために指詰め保護部材７に設けられた指詰め保護部材凹部７ｂと、同様の目的のために扉側面キャップ６に設けられた凹部（図示せず）と同一のラインに繋がるように構成されている。また、指詰め保護部材７と扉側面キャップ６は同色の樹脂によって成形されており、この２部品の繋ぎ目部分を目立ち難くもなり、また指詰め保護部材７自身も目立たたないため、冷蔵庫扉１全体としての外観意匠性の確保も図っている。
【００２８】
さらに、指詰め保護部材７は、扉側面キャップ６との接触面の一部が、扉側面キャップ６に設けられた扉側面キャップ凹部６ａに差し込まれ固定されている。このことにより、指詰め保護部材７と扉側面キャップ６との接触面が、冷蔵庫扉１を使用する際に外観面から見え難くなり、さらに、指詰め保護部材７の成形性のバラツキ等により、指詰め保護部材７と扉側面キャップ６との接触面に隙が現れた場合においても、扉側面キャップ凹部６ａが壁の役目を果たすため、その隙も隠すことができ、冷蔵庫扉１の外観品位の向上を図ることができる。
【００２９】
図５に示すように、指詰め保護部材７の扉面材２を挿入する側の開口部に扉面材案内壁７ｃを設けている。この扉面材案内壁７ｃにより、扉面材２が指詰め保護部材凹部７ｂに挿入し易くなるため、作業時間の短縮・作業性の向上を図ることができる。
【００３０】
また、指詰め保護部材凹部７ｂに挿入された扉面材２は、指詰め保護部材凹部７ｂとの間に隙間があり、この状態で断熱材を発泡充填すると、扉面材２の外観面上に変形が生じたり、断熱材が外側に漏れ出す可能性もある。そこで指詰め保護部材凹部７ｂの内側の断熱材側に設けた保護部材凹部内凸部７ｄにより、扉面材２の位置を規制することができ、扉面材２の外観面上に変形をなくし、断熱材が外側に漏れ出すことも防ぐことが出来る。
【００３１】
扉側面キャップ６に指詰め保護部材７を組み立てた状態のハンドル部品に扉面材２を差込み嵌合配置するが、扉面材２の上下関係の位置を規制するために、図６で示すように、指詰め保護部材凹部７ｂの内側の一部に扉面材位置決め凸部７ｅを設け、扉面材位置決め凸部７ｅの位置と形状に合うように扉面材２に設けられた扉面材位置決め凹部２ａによって、扉面材２の上下の位置を規制できるようにし、作業性、及び品質の向上を図っている。
【００３２】
一側辺に手掛け用凹部を形成した扉面材２の手掛け用凹部、扉側面キャップ６、及び指詰め保護部材７を、冷蔵室扉１の中央において上下対称な形状及び構成をしたことによって、回転による開扉方式である冷蔵室扉１の右開きタイプ用に構成された、扉面材２、扉側面キャップ６、及び指詰め保護部材７を上下反転させると、左開きタイプ用の冷蔵庫扉１にも用いることができ、左開き・右開きタイプの兼用化が可能となり、コストの抑制を図った冷蔵庫扉を提供することを可能とする。
【００３３】
また、指詰め保護部材７は、上下それぞれに存在する指詰め保護部７ｆを一体で構成することにより、部品点数が減るため、組立て工数が減り、部品組み立てにかかるコストの抑制を図ることができる。
【産業上の利用可能性】
【００３４】
以上のように、本発明にかかる冷蔵庫は、冷蔵庫扉に係り、特に冷蔵庫扉に設けられたハンドル部品の構成に関するものであり、冷蔵庫以外の冷蔵及び冷凍機能を持つ貯蔵庫の扉の用途にも適用できる。
【図面の簡単な説明】
【００３５】
【図１】本発明の実施の形態１における冷蔵庫扉の斜視図
【図２】同実施の形態の冷蔵庫扉の図１の分解斜視図
【図３】同実施の形態の図２におけるハンドル部品の分解斜視図
【図４】同実施の形態の冷蔵庫扉の図１のＡ−Ａ線断面図
【図５】同実施の形態の冷蔵庫扉の図４における斜視図
【図６】同実施の形態の冷蔵庫扉の指詰め保護部材と扉面材の組み付けた状態の要部正面図
【図７】従来の冷蔵庫扉の扉化粧板部を示す分解斜視図
【符号の説明】
【００３６】
１    冷蔵庫扉
２    扉面材
２ａ  扉面材位置決め凹部
３    上扉キャップ
４    下扉キャップ
５    扉内板
６    扉側面キャップ
６ａ  扉側面キャップ凹部
７    指詰め保護部材
７ａ  保護部材ツメ部
７ｂ  指詰め保護部材凹部
７ｃ  扉面材案内壁
７ｄ  保護部材凹部内凸部
７ｅ  扉面材位置決め凸部
７ｆ  保護部
【図１】
2007278585.tif 000003
【図２】
2007278585.tif 000004
【図３】
2007278585.tif 000005
【図４】
2007278585.tif 000006
【図５】
2007278585.tif 000007
【図６】
2007278585.tif 000008
【図７】
2007278585.tif 000009